(57)【要約】【課題】イベントが公衆に露出された量を表す露出量を測定するための装置を公衆側に設けることなく露出量を測定すること。【解決手段】イベントメタデータ取得手段３０１は、イベントが予定されているイベント予定時間帯と当該イベントを特定するためのイベント特定情報とが対応付けられたイベントメタデータを取得する。テキスト取得手段３０３は、取得されたイベントメタデータに基づいて、前記イベント予定時間帯に投稿されたテキストのうち、前記イベント特定情報に対応するテキストを取得する。露出量算出手段３０４は、前記テキスト取得手段３０３によって取得されたテキストの数に基づいて、前記イベントが公衆に露出された量を表す露出量を算出する。【選択図】図３
2013142906.tif 000002
【特許請求の範囲】
【請求項１】
イベントが予定されているイベント予定時間帯と当該イベントを特定するためのイベント特定情報とが対応付けられたイベントメタデータを取得するイベントメタデータ取得手段と、
前記イベントメタデータ取得手段によって取得されたイベントメタデータに基づいて、前記イベント予定時間帯に投稿されたテキストのうち、前記イベント特定情報に対応するテキストを取得するテキスト取得手段と、
前記テキスト取得手段によって取得されたテキストの数に基づいて、前記イベントが公衆に露出された量を表す露出量を算出する露出量算出手段と
を有することを特徴とするイベント評価装置。
【請求項２】
前記露出量算出手段は、前記テキスト取得手段によって取得されたテキストのうち、予め定められたキーワードを含むテキストの数を前記露出量として算出することを特徴とする請求項１に記載のイベント評価装置。
【請求項３】
前記テキスト取得手段は、前記イベント特定情報に対応するテキストと、当該テキストが投稿された投稿時刻とを取得し、
前記露出量算出手段は、前記テキスト取得手段によって取得されたテキストのうち、前記イベント予定時間帯の開始予定時刻から前記イベント予定時間帯よりも短い第１の時間帯にわたって投稿されたテキストの数を前記露出量として算出する
ことを特徴とする請求項１に記載のイベント評価装置。
【請求項４】
前記テキスト取得手段は、前記イベント特定情報に対応するテキストと、当該テキストが投稿された投稿時刻とを取得し、
前記露出量算出手段は、前記テキスト取得手段によって取得されたテキストのうち、予め定められたキーワードを含むテキストであって、前記イベント予定時間帯の開始予定時刻から前記イベント予定時間帯よりも短い第１の時間帯にわたって投稿されたテキストの数を前記露出量として算出する
ことを特徴とする請求項２に記載のイベント評価装置。
【請求項５】
前記イベント予定時間帯を前記イベント予定時間帯よりも短い第２の時間帯毎に区切り、当該第２の時間帯毎の前記投稿されたテキストの数を、前記イベントに対して前記公衆が反応した量を表す反応量として算出する反応量算出手段と、
前記露出量算出手段によって算出された露出量と前記反応量算出手段によって算出された反応量とに基づいて、前記イベントによって前記公衆の興味が喚起された度合いを表す興味喚起度を前記第２の時間帯毎に算出する興味喚起度算出手段と
を有することを特徴とする請求項３又は４に記載のイベント評価装置。
【請求項６】
イベントが予定されているイベント予定時間帯と当該イベントを特定するためのイベント特定情報とが対応付けられたイベントメタデータを取得するイベントメタデータ取得手段と、
前記イベントメタデータ取得手段によって取得されたイベントメタデータに基づいて、前記イベント予定時間帯に投稿されたテキストに対応付けられたユーザＩＤのうち、前記イベント特定情報に対応するテキストに対応付けられたユーザＩＤを取得するユーザＩＤ取得手段と、
前記ユーザＩＤ取得手段によって取得されたユーザＩＤから算出したユニークユーザの数に基づいて、前記イベントが公衆に露出された量を表す露出量を算出する露出量算出手段と
を有することを特徴とするイベント評価装置。
【請求項７】
前記ユーザＩＤ取得手段は、前記イベント特定情報に対応するテキストに対応付けられたユーザＩＤと、当該テキストとを取得し、
前記露出量算出手段は、前記ユーザＩＤ取得手段によって取得されたユーザＩＤから、予め定められたキーワードを含むテキストに対応するユニークユーザの数を前記露出量として算出する
ことを特徴とする請求項６に記載のイベント評価装置。
【請求項８】
前記ユーザＩＤ取得手段は、前記イベント特定情報に対応するテキストに対応付けられたユーザＩＤと、当該テキストが投稿された投稿時刻とを取得し、
前記露出量算出手段は、前記ユーザＩＤ取得手段によって取得されたユーザＩＤから、前記イベント予定時間帯の開始予定時刻から前記イベント予定時間帯よりも短い第１の時間帯にわたって投稿されたテキストに対応するユニークユーザの数を前記露出量として算出する
ことを特徴とする請求項６に記載のイベント評価装置。
【請求項９】
前記ユーザＩＤ取得手段は、前記イベント特定情報に対応するテキストに対応付けられたユーザＩＤと、当該テキストと、当該テキストが投稿された投稿時刻とを取得し、
前記露出量算出手段は、前記ユーザＩＤ取得手段によって取得されたユーザＩＤから、予め定められたキーワードを含むテキストであって、前記イベント予定時間帯の開始予定時刻から前記イベント予定時間帯よりも短い第１の時間帯にわたって投稿されたテキストに対応するユニークユーザの数を前記露出量として算出する
ことを特徴とする請求項７に記載のイベント評価装置。
【請求項１０】
前記イベント予定時間帯を前記イベント予定時間帯よりも短い第２の時間帯毎に区切り、当該第２の時間帯毎の前記投稿されたテキストに対応するユニークユーザの数を、前記イベントに対して前記公衆が反応した量を表す反応量として算出する反応量算出手段と、
前記露出量算出手段によって算出された露出量と前記反応量算出手段によって算出された反応量とに基づいて、前記イベントによって前記公衆の興味が喚起された度合いを表す興味喚起度を前記第２の時間帯毎に算出する興味喚起度算出手段と
を有することを特徴とする請求項８又は９に記載のイベント評価装置。
【請求項１１】
イベントが予定されているイベント予定時間帯と当該イベントを特定するためのイベント特定情報とが対応付けられたイベントメタデータを取得するイベントメタデータ取得ステップと、
前記イベントメタデータ取得ステップにおいて取得されたイベントメタデータに基づいて、前記イベント予定時間帯に投稿されたテキストのうち、前記イベント特定情報に対応するテキストを取得するテキスト取得ステップと、
前記テキスト取得ステップにおいて取得されたテキストの数に基づいて、前記イベントが公衆に露出された量を表す露出量を算出する露出量算出ステップと
を有することを特徴とするイベント評価方法。
【請求項１２】
イベントが予定されているイベント予定時間帯と当該イベントを特定するためのイベント特定情報とが対応付けられたイベントメタデータを取得するイベントメタデータ取得ステップと、
前記イベントメタデータ取得ステップにおいて取得されたイベントメタデータに基づいて、前記イベント予定時間帯に投稿されたテキストに対応付けられたユーザＩＤのうち、前記イベント特定情報に対応するテキストに対応付けられたユーザＩＤを取得するユーザＩＤ取得ステップと、
前記ユーザＩＤ取得ステップにおいて取得されたユーザＩＤから算出したユニークユーザの数に基づいて、前記イベントが公衆に露出された量を表す露出量を算出する露出量算出ステップと
を有することを特徴とするイベント評価方法。
【発明の詳細な説明】
【技術分野】
【０００１】
本発明は、公衆に露出されるイベントを評価する技術に関する。
【背景技術】
【０００２】
視聴者がテレビジョン（以下、「テレビ」という。）で観る番組を選択する方法として、例えば、新聞の番組表で探す、手当たり次第にチャンネルを切り替えて探す、テレビをつけっ放しにしておいて興味のある番組が放送されていたら観る、といった方法がある。また、興味の持てそうな番組を大雑把に選択して録画しておき、再生してみて興味の湧いた番組だけ観るという方法もある。しかし、テレビの多チャンネル化が進んで番組の選択肢が増えた結果、上記のような方法では視聴者が本当に観たい番組を探すのが難しくなりつつある。
【０００３】
このような事情はテレビに限ったことではなく、例えば、ラジオ、ライブストリーミング、映画、演劇、演奏会、展示会、競技会、学会など様々な場面に当てはまる。以下の説明では、テレビ、ラジオ、ライブストリーミング、映画、演劇、演奏会、展示会、競技会、学会など、視聴、観覧、観戦又は聴講の対象として公衆に露出されるものをイベントという。ここで、露出とは、イベントが人間に視聴、観覧、観戦又は聴講されること、言い換えれば、人間がイベントの提供を受けることを指す。例えば、テレビ番組の場合、単に番組が放送されているだけでなく、放送された番組が実際に視聴者に視聴されることを露出という。
【０００４】
イベントに対する反響を評価するための技術が特許文献１で提案されている。この例では、イベントはテレビで放送された広告であり、放送された広告のうち特定のブランドに関連するキーワードに関連付けられた広告が放送された時間の長さで表される広告量を求め、特定のブログに掲載された記事のうち当該キーワードに関連する記事の件数を求め、広告量と記事の件数との推移を表す情報を表示することが提案されている。
【先行技術文献】
【特許文献】
【０００５】
【特許文献１】特開２００９−１２３０１５号公報
【発明の概要】
【発明が解決しようとする課題】
【０００６】
しかし、特許文献１における広告量は、広告が実際に視聴者に視聴された量を表すものではない。実際に視聴された量を求める方法として視聴率を用いることが考えられるが、視聴率を測定するための装置を視聴者の受像機に接続する手間と費用がかかる。
そこで、本発明は、イベントが公衆に露出された量を表す露出量を測定するための装置を公衆側に設けることなく露出量を測定することを目的とする。
【課題を解決するための手段】
【０００７】
請求項１に係る発明は、イベントが予定されているイベント予定時間帯と当該イベントを特定するためのイベント特定情報とが対応付けられたイベントメタデータを取得するイベントメタデータ取得手段と、前記イベントメタデータ取得手段によって取得されたイベントメタデータに基づいて、前記イベント予定時間帯に投稿されたテキストのうち、前記イベント特定情報に対応するテキストを取得するテキスト取得手段と、前記テキスト取得手段によって取得されたテキストの数に基づいて、前記イベントが公衆に露出された量を表す露出量を算出する露出量算出手段とを有することを特徴とするイベント評価装置を提供する。
【０００８】
請求項２に係る発明は、請求項１に記載のイベント評価装置において、前記露出量算出手段は、前記テキスト取得手段によって取得されたテキストのうち、予め定められたキーワードを含むテキストの数を前記露出量として算出することを特徴とする。
請求項３に係る発明は、請求項１に記載のイベント評価装置において、前記テキスト取得手段は、前記イベント特定情報に対応するテキストと、当該テキストが投稿された投稿時刻とを取得し、前記露出量算出手段は、前記テキスト取得手段によって取得されたテキストのうち、前記イベント予定時間帯の開始予定時刻から前記イベント予定時間帯よりも短い第１の時間帯にわたって投稿されたテキストの数を前記露出量として算出することを特徴とする。
請求項４に係る発明は、請求項２に記載のイベント評価装置において、前記テキスト取得手段は、前記イベント特定情報に対応するテキストと、当該テキストが投稿された投稿時刻とを取得し、前記露出量算出手段は、前記テキスト取得手段によって取得されたテキストのうち、予め定められたキーワードを含むテキストであって、前記イベント予定時間帯の開始予定時刻から前記イベント予定時間帯よりも短い第１の時間帯にわたって投稿されたテキストの数を前記露出量として算出することを特徴とする。
請求項５に係る発明は、請求項３又は４に記載のイベント評価装置において、前記イベント予定時間帯を前記イベント予定時間帯よりも短い第２の時間帯毎に区切り、当該第２の時間帯毎の前記投稿されたテキストの数を、前記イベントに対して前記公衆が反応した量を表す反応量として算出する反応量算出手段と、前記露出量算出手段によって算出された露出量と前記反応量算出手段によって算出された反応量とに基づいて、前記イベントによって前記公衆の興味が喚起された度合いを表す興味喚起度を前記第２の時間帯毎に算出する興味喚起度算出手段とを有することを特徴とする。
【０００９】
請求項６に係る発明は、イベントが予定されているイベント予定時間帯と当該イベントを特定するためのイベント特定情報とが対応付けられたイベントメタデータを取得するイベントメタデータ取得手段と、前記イベントメタデータ取得手段によって取得されたイベントメタデータに基づいて、前記イベント予定時間帯に投稿されたテキストに対応付けられたユーザＩＤのうち、前記イベント特定情報に対応するテキストに対応付けられたユーザＩＤを取得するユーザＩＤ取得手段と、前記ユーザＩＤ取得手段によって取得されたユーザＩＤから算出したユニークユーザの数に基づいて、前記イベントが公衆に露出された量を表す露出量を算出する露出量算出手段とを有することを特徴とするイベント評価装置を提供する。
【００１０】
請求項７に係る発明は、請求項６に記載のイベント評価装置において、前記ユーザＩＤ取得手段は、前記イベント特定情報に対応するテキストに対応付けられたユーザＩＤと、当該テキストとを取得し、前記露出量算出手段は、前記ユーザＩＤ取得手段によって取得されたユーザＩＤから、予め定められたキーワードを含むテキストに対応するユニークユーザの数を前記露出量として算出することを特徴とする。
請求項８に係る発明は、請求項６に記載のイベント評価装置において、前記ユーザＩＤ取得手段は、前記イベント特定情報に対応するテキストに対応付けられたユーザＩＤと、当該テキストが投稿された投稿時刻とを取得し、前記露出量算出手段は、前記ユーザＩＤ取得手段によって取得されたユーザＩＤから、前記イベント予定時間帯の開始予定時刻から前記イベント予定時間帯よりも短い第１の時間帯にわたって投稿されたテキストに対応するユニークユーザの数を前記露出量として算出することを特徴とする。
請求項９に係る発明は、請求項７に記載のイベント評価装置において、前記ユーザＩＤ取得手段は、前記イベント特定情報に対応するテキストに対応付けられたユーザＩＤと、当該テキストと、当該テキストが投稿された投稿時刻とを取得し、前記露出量算出手段は、前記ユーザＩＤ取得手段によって取得されたユーザＩＤから、予め定められたキーワードを含むテキストであって、前記イベント予定時間帯の開始予定時刻から前記イベント予定時間帯よりも短い第１の時間帯にわたって投稿されたテキストに対応するユニークユーザの数を前記露出量として算出することを特徴とする。
請求項１０に係る発明は、請求項８又は９に記載のイベント評価装置において、前記イベント予定時間帯を前記イベント予定時間帯よりも短い第２の時間帯毎に区切り、当該第２の時間帯毎の前記投稿されたテキストに対応するユニークユーザの数を、前記イベントに対して前記公衆が反応した量を表す反応量として算出する反応量算出手段と、前記露出量算出手段によって算出された露出量と前記反応量算出手段によって算出された反応量とに基づいて、前記イベントによって前記公衆の興味が喚起された度合いを表す興味喚起度を前記第２の時間帯毎に算出する興味喚起度算出手段とを有することを特徴とする。
【００１１】
請求項１１に係る発明は、イベントが予定されているイベント予定時間帯と当該イベントを特定するためのイベント特定情報とが対応付けられたイベントメタデータを取得するイベントメタデータ取得ステップと、前記イベントメタデータ取得ステップにおいて取得されたイベントメタデータに基づいて、前記イベント予定時間帯に投稿されたテキストのうち、前記イベント特定情報に対応するテキストを取得するテキスト取得ステップと、前記テキスト取得ステップにおいて取得されたテキストの数に基づいて、前記イベントが公衆に露出された量を表す露出量を算出する露出量算出ステップとを有することを特徴とするイベント評価方法を提供する。
【００１２】
請求項１２に係る発明は、イベントが予定されているイベント予定時間帯と当該イベントを特定するためのイベント特定情報とが対応付けられたイベントメタデータを取得するイベントメタデータ取得ステップと、前記イベントメタデータ取得ステップにおいて取得されたイベントメタデータに基づいて、前記イベント予定時間帯に投稿されたテキストに対応付けられたユーザＩＤのうち、前記イベント特定情報に対応するテキストに対応付けられたユーザＩＤを取得するユーザＩＤ取得ステップと、前記ユーザＩＤ取得ステップにおいて取得されたユーザＩＤから算出したユニークユーザの数に基づいて、前記イベントが公衆に露出された量を表す露出量を算出する露出量算出ステップとを有することを特徴とするイベント評価方法を提供する。
【発明の効果】
【００１３】
本発明によれば、イベントが公衆に露出された量を表す露出量を測定するための装置を公衆側に設けることなく露出量を測定することができる。
【図面の簡単な説明】
【００１４】
【図１】第１実施形態に係るイベント評価システム１の構成を示す図である。
【図２】イベント評価装置３０のハードウェア構成を示す図である。
【図３】イベント評価装置３０の機能構成を示すブロック図である。
【図４】イベント評価装置３０の動作を示す流れ図である。
【図５】イベントメタデータを示す図である。
【図６】ソーシャルメディアデータを示す図である。
【図７】算出された反応量を示す図である。
【図８】算出された興味喚起度を示す図である。
【図９】第２実施形態に係るイベント評価システム２の全体を示す図である。
【図１０】イベント評価装置８０のハードウェア構成を示す図である。
【図１１】イベント評価装置８０の機能構成を示すブロック図である。
【図１２】イベント評価装置８０の動作を示す流れ図である。
【図１３】イベント評価装置３０ａの機能構成を示すブロック図である。
【図１４】イベント評価装置３０ａの動作を示す流れ図である。
【図１５】イベント評価装置３０ｂの機能構成を示すブロック図である。
【図１６】イベント評価装置３０ｂの動作を示す流れ図である。
【発明を実施するための形態】
【００１５】
＜第１実施形態の構成＞
図１は、本発明の第１実施形態に係るイベント評価システム１の全体を示す図である。イベント評価システム１は、移動通信網１０、端末装置２０、イベント評価装置３０、イベントメタデータサーバ装置４０（以下、ＩＭサーバ装置４０という。）、インターネット５０、ゲートウェイ装置６０及びソーシャルメディアサーバ装置７０（以下、ＳＭサーバ装置７０という。）を備えている。
【００１６】
端末装置２０は、例えば携帯電話機であり、ＣＰＵ（Central Processing Unit）などの演算装置とＲＯＭ（Read Only Memory）及びＲＡＭ（Random Access Memory）などの記憶装置とを備えた制御部と、ＥＥＰＲＯＭ（Electronically Erasable and Programmable ROM）やＳＲＡＭ（Static Random Access Memory）などの記憶装置を備えた記憶部と、アンテナや通信インターフェースを備えた無線通信部と、スピーカ、マイクロホン及び音声処理回路を備えた音声入出力部と、複数のキーやタッチスクリーンなどの操作子を備えた操作部と、液晶パネルや液晶駆動回路を備えた表示部とを備えている。記憶部には、ＯＳ（Operating System）やアプリケーションプログラムが記憶されており、制御部がこれらのプログラムを実行することによって端末装置２０の動作を制御する。また、制御部は、操作部が受け付けたユーザの操作に応じて通信部を制御することにより、移動通信網１０経由でイベント評価装置３０との間で通信を行う。また、記憶部には、表示部にブラウザを表示するためのプログラムが記憶されており、ユーザがブラウザの起動を端末装置２０に命じると表示部にブラウザが表示される。このブラウザを用いて、インターネット５０上のウェブサイトへのアクセスが行われる。
【００１７】
移動通信網１０は、端末装置２０に通信サービスを提供する通信網である。移動通信網１０は、自局の無線セル内に存在する端末装置２０との間で無線通信を行う基地局、移動通信網１０内で伝送されるデータのルーティングを行う交換局、及び端末装置２０の位置登録などを行う制御局といった各種ノードと、これらのノード間を相互に接続する通信線とを備えている。
【００１８】
図２は、イベント評価装置３０のハードウェア構成を示す図である。イベント評価装置３０は、コンピュータであり、ＣＰＵなどの演算装置とＲＯＭ及びＲＡＭなどの記憶装置とを備えた制御部３１と、ハードディスク装置などの記憶装置を備えた記憶部３２と、通信インターフェースを備えた通信部３３とを備え、制御部３１が記憶部３２に記憶されたプログラムを実行することによって各部の動作を制御する。
【００１９】
ＩＭサーバ装置４０、ゲートウェイ装置６０及びＳＭサーバ装置７０は、いずれもコンピュータであり、ＣＰＵなどの演算装置とＲＯＭ及びＲＡＭなどの記憶装置とを備えた制御部と、ハードディスク装置などの記憶装置を備えた記憶部と、通信インターフェースを備えた通信部とを備え、制御部が記憶部に記憶されたプログラムを実行することによって各部の動作を制御する。
イベント評価装置３０の通信部３３はゲートウェイ装置６０の通信部に接続されており、イベント評価装置３０は、移動通信網１０経由で端末装置２０との間で通信を行い、インターネット５０経由でＩＭサーバ装置４０及びＳＭサーバ装置７０との間で通信を行う。
【００２０】
ＩＭサーバ装置４０は、イベントメタデータをイベント評価装置３０に提供するサーバ装置である。イベントメタデータは、イベントが予定されているイベント予定時間帯と当該イベントを特定するためのイベント特定情報とが対応付けられたデータである。本実施形態におけるイベントは、テレビ放送局が放送する番組である。イベントメタデータは、ＥＰＧ（Electronic Program Guide、電子番組表）から抽出されたデータでもよいし、あるいは、番組を視聴したオペレータが番組に関する事項をＸＭＬ（Extensible Markup Language）形式で記述したデータでもよい。ここでは、ＥＰＧの例で説明する。ＩＭサーバ装置４０の記憶部には、テレビ放送各社から提供されたデータに基づいて作成されたＥＰＧが記憶されている。ＩＭサーバ装置４０は、イベント評価装置３０からイベントメタデータの要求を受けた場合に、記憶されているＥＰＧから当該要求に応じたイベントメタデータを抽出してイベント評価装置３０に送信する。
【００２１】
図５は、イベントメタデータを示す図である。イベントメタデータは、イベント毎に、イベント名、イベントチャネルＩＤ（Identification）、イベントＩＤ、イベント予定時間帯を対応付けたデータである。
イベント名は、イベントの名称であり、本実施形態では、番組名である。連続ものの番組の場合、イベント名は、「変わっていい人  第十五回」、「変わっていい人  第十六回」のように、放送回毎に別々となる。
イベントチャネルＩＤは、イベントの提供に用いられる媒体や場所を識別するための識別子であり、本実施形態では、テレビの各チャネルに割り当てられた識別子である。
イベントＩＤは、各イベントに割り当てられた識別子である。
イベント予定時間帯は、イベントが予定されている時間帯であり、本実施形態では、番組の放送予定日、開始予定時刻及び終了予定時刻を含む。
以上説明したイベントメタデータのうち、イベント名、イベントチャネルＩＤ及びイベントＩＤは、イベントを特定するためのイベント特定情報である。このうち、イベントチャネルＩＤ単体ではイベントは特定されないが、イベントチャネルＩＤとイベント予定時間帯との組み合わせによりイベントが特定される。
【００２２】
ＳＭサーバ装置７０は、ソーシャルメディア、すなわち、ミニブログ、ブログ、ソーシャルネットワーキングサービス、電子掲示板などのサービスを提供するサーバ装置である。本実施形態では、ミニブログの例で説明する。ユーザがサービスの利用者としてＳＭサーバ装置７０に登録すると、このユーザに対してミニブログへの投稿が許可される。ＳＭサーバ装置７０の記憶部には、投稿されたテキストを蓄積するデータベースが格納されている。ユーザが端末装置２０を用いてＳＭサーバ装置７０へテキストを投稿すると、当該テキストと、当該テキストがＳＭサーバ装置７０に受信された時刻である投稿時刻とを対応付けてデータベースに書き込み、当該テキストを含むＨＴＭＬ（HyperText Markup Language）データを端末装置２０に返信する。その結果、端末装置２０の表示部に当該テキストが表示される。また、当該ユーザが他のユーザを登録した場合に、当該他のユーザの投稿したテキストも端末装置２０に送信される。表示の対象となるテキストが複数である場合には、これらのテキストが投稿時刻の降順に並べて表示される。
ＳＭサーバ装置７０は、イベント評価装置３０からソーシャルメディアデータの要求を受けた場合に、データベースから当該要求に合致するソーシャルメディアデータを抽出してイベント評価装置３０に送信する。
【００２３】
図６は、ソーシャルメディアデータを示す図である。
ソーシャルメディアデータは、テキストＩＤ、ユーザＩＤ、投稿内容、投稿時刻を対応付けたデータである。
テキストＩＤは、各テキストに割り当てられた識別子である。
ユーザＩＤは、各テキストを送信したユーザに割り当てられた識別子である。
投稿内容は、投稿されたテキストと、当該テキストに対応付けられた対象識別キーワードとが含まれる。対象識別キーワードは、例えばTwitter（登録商標）におけるハッシュタグであり、投稿の対象を識別するための情報である。例えば、同図のテキストＩＤ＝４０００１の場合、「変わっていい人はじまった」の部分が投稿されたテキストであり、「＃」に続く文字列「tbf」が対象識別キーワードである。「tbf」は、放送局の略称の一例である。このように、対象識別キーワードとしては、アルファベットの比較的単純な文字列が多用される。
投稿時刻は、テキストがＳＭサーバ装置７０に受信された時刻である。
【００２４】
図３は、イベント評価装置３０の機能構成を示すブロック図である。制御部３１が記憶部３２に記憶されたプログラムを実行することによって、以下の機能が実現される。
イベントメタデータ取得手段３０１は、イベントが予定されているイベント予定時間帯と当該イベントを特定するためのイベント特定情報とが対応付けられたイベントメタデータを取得する。
【００２５】
テキスト取得手段３０３は、前記イベントメタデータ取得手段３０１によって取得されたイベントメタデータに基づいて、前記イベント予定時間帯に投稿されたテキストのうち、前記イベント特定情報に対応するテキストを取得する。また、前記テキスト取得手段３０３は、前記イベント特定情報に対応するテキストと、当該テキストが投稿された投稿時刻とを取得する。
【００２６】
露出量算出手段３０４は、前記テキスト取得手段３０３によって取得されたテキストの数に基づいて、前記イベントが公衆に露出された量を表す露出量を算出する。具体的には、前記露出量算出手段３０４は、前記テキスト取得手段３０３によって取得されたテキストのうち、前記イベント予定時間帯の開始予定時刻から前記イベント予定時間帯よりも短い第１の時間帯にわたって投稿されたテキストの数を前記露出量として算出する。
【００２７】
反応量算出手段３０５は、前記イベント予定時間帯を前記イベント予定時間帯よりも短い第２の時間帯毎に区切り、当該第２の時間帯毎の前記投稿されたテキストの数を、前記イベントに対して前記公衆が反応した量を表す反応量として算出する。
【００２８】
興味喚起度算出手段３０６は、前記露出量算出手段３０４によって算出された露出量と前記反応量算出手段３０５によって算出された反応量とに基づいて、前記イベントによって前記公衆の興味が喚起された度合いを表す興味喚起度を前記第２の時間帯毎に算出する。
【００２９】
＜第１実施形態の動作＞
図４は、イベント評価装置３０の動作を示す流れ図である。制御部３１は、記憶部３２に記憶されたプログラムに従って以下の処理を実行する。この処理は、端末装置２０のユーザが端末装置２０を用いてイベント評価装置３０に対してイベントの評価を指示したことを契機として実行される。具体的には、ユーザが端末装置２０でブラウザを起動し、イベント評価装置３０にアクセスする。すると、イベント評価装置３０は、ＩＭサーバ装置４０からＥＰＧを取得し、このＥＰＧを端末装置２０に転送する。端末装置２０は、ＩＭサーバ装置４０から受信したＥＰＧを表示部に表示させる。ユーザは、ＥＰＧに含まれる番組のうち放送中の番組の１つを指定し、この番組に対する評価を行う旨の指示をイベント評価装置３０に送信する。この指示を受信すると、制御部３１が以下の処理を実行する。
【００３０】
ステップＳ１０１では、制御部３１が、イベントメタデータ取得手段３０１としての機能により、イベントメタデータを取得する。具体的には、制御部３１は、端末装置２０から受信した指示に対応するイベントメタデータをＩＭサーバ装置４０に要求する。ＩＭサーバ装置４０の制御部は、イベント評価装置３０が要求したイベントメタデータを記憶部に記憶されているＥＰＧから抽出し、抽出されたイベントメタデータをイベント評価装置３０に送信する。制御部３１は、受信したイベントメタデータを記憶部３２に記憶させる。ここでは、図５に示すイベントメタデータのうち、イベント名「変わっていい人  第十五回」に対応するイベントメタデータが取得されたとする。
【００３１】
ステップＳ１０２では、制御部３１が、検索条件決定手段３０２としての機能により、イベントメタデータに基づいて検索条件を決定する。具体的には、検索条件は、イベント予定時間帯と対象識別キーワードとを含む。ＳＭサーバ装置７０に投稿されたテキストには対象識別キーワードが対応付けられているので、対象識別キーワードを検索条件としてテキストを絞り込むことが可能である。一方、イベントメタデータには、イベントを特定するためのイベント特定情報としてイベント名、イベントチャネルＩＤ及びイベントＩＤが含まれているが、対象識別キーワードとしてはアルファベットの比較的単純な文字列が多用されるので、イベント名そのものが対象識別キーワードとして用いられるケースは少ない。イベントＩＤは、一般に公開されていないので、対象識別キーワードとして用いられることはない。イベントチャネルＩＤは、それ自体が対象識別キーワードとして用いられることはないが、例えばイベントチャネルＩＤに対応するテレビ局の略称とイベント予定時間帯との組み合わせによってイベントが特定される。従って、予めイベントチャネルＩＤとテレビ局の略称とを対応付けて記憶部３２に記憶させておき、制御部３１が、ステップＳ１０１で取得したイベントメタデータに含まれるイベントチャネルＩＤに対応するテレビ局の略称を記憶部３２から読み出す。この略称が、対象識別キーワードである。図５、図６では、イベントチャネルＩＤ「１」に対応する対象識別キーワードが「tbf」である例を示している。この例では、検索条件は、イベント予定時間帯が「2011/3/3 12:00-13:00」となり、対象識別キーワードが「tbf」となる。
【００３２】
ステップＳ１０３では、制御部３１が、テキスト取得手段３０３としての機能により、検索条件に合致したテキストを取得する。具体的には、制御部３１は、ステップＳ１０２で決定された検索条件に合致するテキストの抽出をＳＭサーバ装置７０に要求する。ＳＭサーバ装置７０は、検索条件に従ってデータベースを検索し、検索条件に合致するテキストと当該テキストの投稿時刻とを抽出してイベント評価装置３０に送信する。制御部３１は、受信したテキストと投稿時刻とを対応付けて記憶部３２に記憶させる。この例では、図６に示すソーシャルメディアデータのうち、イベント予定時間帯「2011/3/3 12:00-13:00」と、対象識別キーワード「tbf」とに対応するテキストと投稿時刻とが取得される。
【００３３】
ステップＳ１０４では、制御部３１が、露出量算出手段３０４としての機能により、第１の時間帯に投稿されたテキストを抽出する。第１の時間帯とは、番組の開始予定時刻から例えば５分間である。制御部３１は、ステップＳ１０３で受信したテキストのうち、投稿時刻が第１の時間帯に含まれるテキストを抽出する。
【００３４】
ステップＳ１０５では、制御部３１が、露出量算出手段３０４としての機能により、イベントの露出量を算出する。具体的には、制御部３１が、ステップＳ１０４で抽出したテキストの数を算出する。このようにして算出された数が、イベントが公衆に露出された量を表す露出量である。
【００３５】
ステップＳ１０６では、制御部３１が、反応量算出手段３０５としての機能により、第２の時間帯毎のテキストを抽出する。第２の時間帯の長さは、例えば１分間である。制御部３１は、イベント予定時間帯を１分毎の時間帯に区切り、各時間帯で投稿時刻が当該時間帯に含まれるテキストを、ステップＳ１０３で受信したテキストから抽出する。
【００３６】
ステップＳ１０７では、制御部３１が、反応量算出手段３０５としての機能により、反応量を算出する。具体的には、制御部３１が、ステップＳ１０６で抽出した第２の時間帯毎のテキストの数を算出する。このようにして算出された第２の時間帯毎の数が、イベントに対して公衆が反応した量を表す反応量である。図７は、算出された反応量を示す図である。
【００３７】
ステップＳ１０８では、制御部３１が、興味喚起度算出手段３０６としての機能により、興味喚起度を算出する。具体的には、制御部３１が、第２の時間帯毎の反応量を露出量で除する。このようにして算出された値が、イベントによって公衆の興味が喚起された度合いを表す興味喚起度である。図８は、算出された興味喚起度を示す図である。
【００３８】
ステップＳ１０９では、制御部３１が、興味喚起度算出手段３０６としての機能により、興味喚起度を出力する。具体的には、制御部３１は、興味喚起度の数値を含むＨＴＭＬデータを生成して、端末装置２０に送信する。端末装置２０の制御部は、受信したＨＴＭＬデータに基づく画像を表示部に表示させる。このＨＴＭＬデータは、興味喚起度の数値自体を表示するものでもよいし、その数値をグラフ化して表示するものでもよい。あるいは、予め興味喚起度の閾値を設定しておき、興味喚起度がこの閾値を超えたならば、当該番組が高視聴率であることを示すメッセージを表示するようにしてもよい。
【００３９】
本実施形態の効果は、次のとおりである。
本実施形態に係るイベント評価装置３０は、イベント予定時間帯とイベント特定情報とが対応付けられたイベントメタデータを取得し、イベント予定時間帯にソーシャルメディアのウェブサイトに投稿されたテキストのうち、イベント特定情報に対応するテキストを取得し、取得されたテキストの数に基づいて、イベントが公衆に露出された量を表す露出量を算出するように構成されている。従って、露出量を測定するための装置を公衆側に設けることなく露出量を測定することができる。なお、テキストの取得がイベント予定時間帯の間に行われるようにしてもよい。この場合、イベントの露出と時間的に並行して露出量を測定することができるから、イベントの提供を受けるか否かをイベントの進行中にユーザが判断することができる。
【００４０】
また、本実施形態に係るイベント評価装置３０は、取得されたテキストのうち、イベント予定時間帯の開始予定時刻からイベント予定時間帯よりも短い第１の時間帯にわたって投稿されたテキストの数を露出量として算出する。番組の放送が始まってから例えば最初の５分間といった時間帯にソーシャルメディアに投稿されるテキストの内容は、図６で示されるとおり、自分がその番組を観ているという事実を知らせるものであることが多い。つまり、第１の時間帯に投稿されたテキストの数は、イベントが公衆に露出された量を表す指標となり得る。よって、本実施形態によれば、信頼性の高い露出量を算出することができる。
【００４１】
また、本実施形態に係るイベント評価装置３０は、イベント予定時間帯をイベント予定時間帯よりも短い第２の時間帯毎に区切り、当該第２の時間帯毎のウェブサイトに投稿されたテキストの数を、イベントに対して公衆が反応した量を表す反応量として算出し、露出量と反応量とに基づいて、イベントによって公衆の興味が喚起された度合いを表す興味喚起度を第２の時間帯毎に算出するように構成されている。番組の進行中にソーシャルメディアに投稿されるテキストには、第１の時間帯にテキストを投稿したユーザが番組に対する印象を述べたものや、第１の時間帯にその番組を観ていなかったユーザがソーシャルメディアやいわゆる口コミ等によってその番組の評判を知り、その番組を観始めたときの印象を述べたものなど、様々な内容のテキストが含まれ得るが、要するに、これらのテキストは、番組に対する視聴者の反応を示すものである。つまり、第２の時間帯毎のソーシャルメディアに投稿されたテキストの数は、イベントに対して公衆が反応した量を表す指標となり得る。
【００４２】
さらに、このようにして求められた反応量を露出量と対比することによって、イベントによって公衆の興味が喚起された度合いを表す指標が得られる。例えば、番組Ａの露出量が４０であり、或る時間帯における番組Ａの反応量が１０であり、番組Ｂの露出量が３０であり、或る時間帯における番組Ｂの反応量が１５であった場合、番組Ａ、Ｂの興味喚起度はそれぞれ０．２５、０．５となり、番組Ｂが番組Ａよりも興味喚起度が高いという評価になる。このように、本実施形態によれば、イベントによって公衆の興味が喚起された度合いを表す興味喚起度を求めることができる。また、テキストの取得がイベント予定時間帯の間に行われるようにすれば、イベントの露出と時間的に並行して興味喚起度を測定することができるから、イベントの提供を受けるか否かをイベントの進行中にユーザが判断することができる。
【００４３】
＜第２実施形態の構成＞
本発明の第２実施形態について、第１実施形態と異なる点を説明する。なお、第１実施形態と同一の構成要素、同一の処理内容のステップについては、第１実施形態で用いた符号を記載した。
図９は、本発明の第２実施形態に係るイベント評価システム２の全体を示す図である。イベント評価システム２は、第１実施形態のイベント評価装置３０に代えて、イベント評価装置８０を有する。
図１０は、イベント評価装置８０のハードウェア構成を示す図である。制御部８１、記憶部８２、通信部８３の構成は、第１実施形態の制御部３１、記憶部３２、通信部３３と同様である。
【００４４】
図１１は、イベント評価装置８０の機能構成を示すブロック図である。制御部８１が記憶部８２に記憶されたプログラムを実行することによって、以下の機能が実現される。
イベントメタデータ取得手段８０１は、イベントが予定されているイベント予定時間帯と当該イベントを特定するためのイベント特定情報とが対応付けられたイベントメタデータを取得する。
【００４５】
ユーザＩＤ取得手段８０３は、前記イベントメタデータ取得手段８０１によって取得されたイベントメタデータに基づいて、前記イベント予定時間帯に投稿されたテキストに対応付けられたユーザＩＤのうち、前記イベント特定情報に対応するテキストに対応付けられたユーザＩＤを取得する。また、前記ユーザＩＤ取得手段８０３は、前記イベント特定情報に対応するテキストに対応付けられたユーザＩＤと、当該テキストが投稿された投稿時刻とを取得する。
【００４６】
露出量算出手段８０４は、前記ユーザＩＤ取得手段８０３によって取得されたユーザＩＤから算出したユニークユーザの数に基づいて、前記イベントが公衆に露出された量を表す露出量を算出する。具体的には、前記露出量算出手段８０４は、前記ユーザＩＤ取得手段８０３によって取得されたユーザＩＤから、前記イベント予定時間帯の開始予定時刻から前記イベント予定時間帯よりも短い第１の時間帯にわたって投稿されたテキストに対応するユニークユーザの数を前記露出量として算出する。ユニークユーザの数は、第１の時間帯にわたって投稿されたテキストに対応するユーザＩＤの中に同一のユーザＩＤが複数存在する場合に、当該ユーザＩＤの数を１とすることによって算出される。例えば、ユーザＩＤのデータ列において先頭のユーザＩＤを参照値としてこの参照値と同一のユーザＩＤを抽出し、抽出されたユーザＩＤをデータ列から削除する。データ列の先頭から順に各ユーザＩＤを参照値としてこの処理を実行した後、データ列に残ったユーザＩＤの数を求める。この数がユニークユーザの数である。
【００４７】
反応量算出手段８０５は、前記イベント予定時間帯を前記イベント予定時間帯よりも短い第２の時間帯毎に区切り、当該第２の時間帯毎の前記投稿されたテキストに対応するユニークユーザの数を、前記イベントに対して前記公衆が反応した量を表す反応量として算出する。ユニークユーザの数は、第２の時間帯毎の投稿されたテキストに対応するユーザＩＤの中に同一のユーザＩＤが複数存在する場合に、当該ユーザＩＤの数を１とすることによって算出される。
【００４８】
興味喚起度算出手段８０６は、前記露出量算出手段８０４によって算出された露出量と前記反応量算出手段８０５によって算出された反応量とに基づいて、前記イベントによって前記公衆の興味が喚起された度合いを表す興味喚起度を前記第２の時間帯毎に算出する。
【００４９】
＜第２実施形態の動作＞
図１２は、イベント評価装置８０の動作を示す流れ図である。
ステップＳ２０１では、制御部８１が、イベントメタデータ取得手段８０１としての機能により、イベントメタデータを取得する。処理の内容は、第１実施形態と同様である。
ステップＳ２０２では、制御部８１が、検索条件決定手段８０２としての機能により、イベントメタデータに基づいて検索条件を決定する。処理の内容は、第１実施形態と同様である。
【００５０】
ステップＳ２０３では、制御部８１が、ユーザＩＤ取得手段８０３としての機能により、検索条件に合致したテキストを取得する。具体的には、制御部８１は、ステップＳ１０２で決定された検索条件に合致するテキストに対応付けられたユーザＩＤの抽出をＳＭサーバ装置７０に要求する。ＳＭサーバ装置７０は、検索条件に従ってデータベースを検索し、検索条件に合致するテキストに対応付けられたユーザＩＤと当該テキストの投稿時刻とを抽出してイベント評価装置３０に送信する。制御部３１は、受信したユーザＩＤと投稿時刻とを対応付けて記憶部３２に記憶させる。
【００５１】
ステップＳ２０４では、制御部８１が、露出量算出手段８０４としての機能により、第１の時間帯に投稿されたテキストに対応付けられたユーザＩＤを抽出する。第１の時間帯とは、番組の開始予定時刻から例えば５分間である。制御部３１は、ステップＳ２０３で受信したユーザＩＤのうち、番組の開始予定時刻から５分間に該当する投稿時刻に対応するユーザＩＤを抽出する。
【００５２】
ステップＳ２０５では、制御部８１が、露出量算出手段８０４としての機能により、イベントの露出量を算出する。具体的には、制御部８１が、ステップＳ２０４で抽出したユーザＩＤからユニークユーザの数を算出する。このようにして算出された数が、イベントが公衆に露出された量を表す露出量である。
【００５３】
ステップＳ２０６では、制御部８１が、反応量算出手段８０５としての機能により、第２の時間帯毎のユーザＩＤを抽出する。制御部８１は、イベント予定時間帯を１分毎の時間帯に区切り、各時間帯に該当する投稿時刻に対応するユーザＩＤを、ステップＳ２０３で受信したユーザＩＤから抽出する。
【００５４】
ステップＳ２０７では、制御部８１が、反応量算出手段８０５としての機能により、反応量を算出する。具体的には、制御部８１が、ステップＳ２０６で抽出した第２の時間帯毎のユーザＩＤからユニークユーザの数を算出する。このようにして算出された第２の時間帯毎の数が、イベントに対して公衆が反応した量を表す反応量である。
【００５５】
ステップＳ２０８では、制御部８１が、興味喚起度算出手段８０６としての機能により、興味喚起度を算出する。処理の内容は、第１実施形態と同様である。
ステップＳ２０９では、制御部８１が、興味喚起度算出手段８０６としての機能により、興味喚起度を出力する。処理の内容は、第１実施形態と同様である。
【００５６】
本実施形態の効果は、次のとおりである。
本実施形態に係るイベント評価装置３０は、イベント予定時間帯とイベント特定情報とが対応付けられたイベントメタデータを取得し、イベント予定時間帯にソーシャルメディアのウェブサイトに投稿されたテキストに対応付けられたユーザＩＤのうち、イベント特定情報に対応するテキストに対応付けられたユーザＩＤを取得し、取得されたユーザＩＤから算出したユニークユーザの数に基づいて、イベントが公衆に露出された量を表す露出量を算出するように構成されている。従って、本実施形態によれば、複数のテキストを投稿するユーザの影響を排除し、より正確に露出量を測定することができる。また、露出量を測定するための装置を公衆側に設けることなく露出量を測定することができる。
【００５７】
＜変形例＞
実施形態を以下の変形例のように変形してもよい。また、複数の変形例を組み合わせてもよい。また、実施形態と変形例を組み合わせもよい。
＜変形例１＞
図１３は、変形例１に係るイベント評価装置３０ａの機能構成を示すブロック図である。図１４は、イベント評価装置３０ａの動作を示す流れ図である。なお、第１実施形態と同一の構成要素、同一の処理内容のステップについては、実施形態で用いた符号を記載した。
変形例１の第１実施形態と異なる部分は、実施形態の露出量算出手段３０４の代わりに露出量算出手段３０４ａを有する点である。露出量算出手段３０４ａは、前記テキスト取得手段３０３によって取得されたテキストのうち、予め定められたキーワードを含むテキストの数を前記露出量として算出する。具体的には、記憶部３２には、興味キーワードが記憶されている。興味キーワードとは、例えば、「観てる」、「面白い」、「これから」、「待機」など、ユーザがイベントに対して興味を持っていることを示すキーワードである。
【００５８】
ステップＳ１０４ａでは、制御部３１が、露出量算出手段３０４ａとしての機能により、ステップＳ１０３で受信したテキストのうち、興味キーワードに対応するテキストを抽出する。
この構成によれば、ユーザがイベントに対して興味を持っていることが示されているテキストを抽出するから、イベントに対して興味を持っているユーザに対する露出量が求められる。
なお、検索条件決定手段３０２が興味キーワードを含む検索条件を決定し、この検索条件に合致するテキストをＳＭサーバ装置７０から取得するようにしてもよい。
【００５９】
＜変形例２＞
図１５は、変形例２に係るイベント評価装置３０ｂの機能構成を示すブロック図である。図１６は、イベント評価装置３０ｂの動作を示す流れ図である。なお、実施形態と同一の構成要素、同一の処理内容のステップについては、実施形態で用いた符号を記載した。図示されているとおり、変形例２は、反応量と興味喚起度を算出せず、露出量のみを算出・出力するように実施形態を変形したものである。
また、変形例１を、反応量と興味喚起度を算出せず、露出量のみを算出・出力するように変形してもよい。
【００６０】
＜変形例３＞
実施形態では、端末装置２０のユーザが端末装置２０を用いてイベント評価装置３０に対してイベントの評価を指示したことを契機としてイベント評価装置３０が図４の処理を実行する例を示したが、イベントの開始を契機としてイベント評価装置３０が図４の処理を実行するようにしてもよい。例えば、ＩＭサーバ装置４０が、ＥＰＧに含まれる各イベントの開始予定時刻が到来したならば、開始予定時刻の到来したイベントのイベントメタデータをイベント評価装置３０に送信し、このイベントメタデータを受信したことを契機としてイベント評価装置３０が図４の処理を実行するようにしてもよい。
【００６１】
＜変形例４＞
実施形態では、検索条件決定手段３０２が検索条件を決定する際、イベントチャネルＩＤに対応する対象識別キーワードを決定する例を示したが、イベント名が比較的単純な文字列である場合にはイベント名が対象識別キーワードとして用いられることがあり得るので、対象識別キーワードとともに、イベント名も検索条件に含めるようにしてもよい。
【００６２】
＜変形例５＞
第２実施形態において、ユーザＩＤに加えて、イベント特定情報に対応するテキストを取得し、変形例１と同様に興味キーワードを含むテキストを抽出し、抽出されたテキストに対応するユーザＩＤからユニークユーザの数を算出することによって露出量、反応量を算出するようにしてもよい。
【００６３】
＜変形例６＞
実施形態では、イベントがテレビの番組である例を示したが、本発明を、ラジオ、ライブストリーミング、映画、演劇、演奏会、展示会、競技会、学会などの分野に適用してもよい。例えば、映画、演劇の場合、イベントは作品である。演奏会の場合、イベントは演奏会自体でもよいし、複数の作品が演奏される場合には、イベントは各作品でもよい。また、複数組の演奏者がそれぞれ別々の時間帯に演奏する形式の場合、イベントは各組の演奏者でもよい。展示会の場合、イベントは各出展者のブースでもよいし、各展示品でもよい。競技会の場合、イベントは種目でもよいし、対戦カードでもよい。学会の場合、イベントは各発表者の発表でもよいし、同一分野の発表を集めたセッションでもよい。
【００６４】
＜変形例７＞
イベント評価装置３０の機能を端末装置２０に備えるように構成してもよい。すなわち、イベント評価装置３０の上記の機能を実現させるためのブログラムを端末装置２０の制御部に実行させるようにしてもよい。
実施形態ではイベント評価装置３０をゲートウェイ装置６０に接続した例を示したが、イベント評価装置３０をゲートウェイ装置６０を介さずにインターネット５０に接続してもよい。
実施形態では端末装置２０が携帯電話機である例を示したが、端末装置２０はいわゆるパーソナルコンピュータ等の情報処理装置であってもよい。この場合、端末装置２０を移動通信網１０を経由せずにインターネット５０に接続してもよいし、端末装置２０を携帯電話機を介して移動通信網１０に接続してもよい。
実施形態ではイベント評価装置３０の制御部３１がプログラムを実行することによってイベント評価装置３０の動作を制御する例を示したが、実施形態と同様の機能をハードウェアで実装するようにしてもよい。また、このプログラムを、光記録媒体、半導体メモリ等、コンピュータで読み取り可能な記録媒体に記録して提供し、この記録媒体からプログラムを読み取ってイベント評価装置３０の記憶部３２に記憶させるようにしてもよい。また、このプログラムを電気通信回線経由で提供してもよい。
【符号の説明】
【００６５】
１…イベント評価システム、１０…移動通信網、２０…端末装置、３０…イベント評価装置、４０…イベントメタデータサーバ装置、５０…インターネット、６０…ゲートウェイ装置、７０…ソーシャルメディアサーバ装置、３１…制御部、３２…記憶部、３３…通信部、３０１…イベントメタデータ取得手段、３０２…検索条件決定手段、３０３…テキスト取得手段、３０４…露出量算出手段、３０５…反応量算出手段、３０６…興味喚起度算出手段、２…イベント評価システム、８０…イベント評価装置、８１…制御部、８２…記憶部、８３…通信部、８０１…イベントメタデータ取得手段、８０２…検索条件決定手段、８０３…ユーザＩＤ取得手段、８０４…露出量算出手段、８０５…反応量算出手段、８０６…興味喚起度算出手段
【図１】
2013142906.tif 000003
【図２】
2013142906.tif 000004
【図３】
2013142906.tif 000005
【図４】
2013142906.tif 000006
【図５】
2013142906.tif 000007
【図６】
2013142906.tif 000008
【図７】
2013142906.tif 000009
【図８】
2013142906.tif 000010
【図９】
2013142906.tif 000011
【図１０】
2013142906.tif 000012
【図１１】
2013142906.tif 000013
【図１２】
2013142906.tif 000014
【図１３】
2013142906.tif 000015
【図１４】
2013142906.tif 000016
【図１５】
2013142906.tif 000017
【図１６】
2013142906.tif 000018